(57)【要約】【課題】画像に対して複数の画像処理に対応した表示をインデックスプリントで実現すること。【解決手段】本発明は、ユーザからの指示を受け付ける操作パネル１５と、操作パネル１５からの指示に基づき所定の画像に対する各々異なる複数の画像処理を行う画像処理部１２と、画像処理部１２で処理した複数の画像処理に対応して、一つの画像に対する画像領域を区分けして、その各区分けに複数の画像処理の各々を割り当てて印刷出力するプリンタ１４とを備える画像処理装置１である。また、本発明は、ユーザからの指示を受け付ける工程と、この指示に基づき所定の画像に対する各々異なる複数の画像処理を行う工程と、複数の画像処理に対応して、一つの画像に対する画像領域を区分けして、その各区分けに複数の画像処理の各々を割り当てて印刷出力する工程とを備える画像処理方法である。【選択図】図１
2005340889.tif 000002
【特許請求の範囲】
【請求項１】
ユーザからの指示を受け付ける操作部と、
前記操作部からの指示に基づき所定の画像に対する各々異なる複数の画像処理を行う画像処理部と、
前記画像処理部で処理した複数の画像処理に対応して、一つの前記画像に対する画像領域を区分けして、その各区分けに前記複数の画像処理の各々を割り当てて印刷出力するプリンタ部と
を備えることを特徴とする画像処理装置。
【請求項２】
前記画像処理部で処理する複数の画像処理は、カラー画像処理と白黒画像処理とを含む
ことを特徴とする請求項１記載の画像処理装置。
【請求項３】
前記画像処理部で処理する複数の画像処理は、各々輝度の異なる画像処理を含む
ことを特徴とする請求項１記載の画像処理装置。
【請求項４】
前記画像処理部は、複数の画像を対象として各画像に対する前記複数の画像処理を必要に応じて行う
ことを特徴とする請求項１記載の画像処理装置。
【請求項５】
ユーザからの指示を受け付ける工程と、
前記指示に基づき所定の画像に対する各々異なる複数の画像処理を行う工程と、
前記複数の画像処理に対応して、一つの前記画像に対する画像領域を区分けして、その各区分けに前記複数の画像処理の各々を割り当てて印刷出力する工程と
を備えることを特徴とする画像処理方法。
【請求項６】
前記複数の画像処理は、カラー画像処理と白黒画像処理とを含む
ことを特徴とする請求項５記載の画像処理方法。
【請求項７】
前記複数の画像処理は、各々輝度の異なる画像処理を含む
ことを特徴とする請求項５記載の画像処理方法。
【請求項８】
前記画像が複数ある場合、各画像に対する前記複数の画像処理を必要に応じて行う
ことを特徴とする請求項５記載の画像処理方法。
【発明の詳細な説明】
【技術分野】
【０００１】
本発明は、ユーザの指示によって選択された画像に対して所定の処理を施し、印刷出力する画像処理装置および画像処理方法に関する。
【背景技術】
【０００２】
近年、デジタルカメラ等で撮影した画像を一括して出力するインデックスプリントが多く利用されている。インデックスプリントでは、デジタルカメラ等で撮影した写真（画像）のサムネイル画像を一枚の用紙に複数並べて出力することができる。このようなインデックスプリントの要求に対応して、コンビニエンスストア等に設置されるカラー複写機では、画像が格納されたメディアを読み込むためのドライブを備えるものがあり、このドライブに挿入されたメディアから画像を読み込んでインデックスプリントを容易に行うことができる機種も登場している。
【０００３】
ここで、デジタルカメラ等で撮影された写真をプリントする場合、ユーザはカラー写真では無く白黒写真で良い場合もある。特許文献１では、異なる画像処理を施した同一画像のサムネイルを繰り返し同一画面上に複数個を表示する技術が開示されている。
【０００４】
【特許文献１】特開平１−１２６０７４号公報
【発明の開示】
【発明が解決しようとする課題】
【０００５】
しかし、従来のインデックスプリントでは全てのサムネイル画像がカラーで印刷されているため、インデックスプリントから白黒およびカラーのどちらが所望の画像かを判断することができない。上記特許文献１では、異なった画像処理を施した同一画像のサムネイルを繰り返し同一画面上に複数個を表示していが、表示される画像の個数はＮ＝Ｘ×Ｙ(Ｎ：全画像数、Ｘ：画像数、Ｙ：パラメータ数)になる。つまり、異なった画像処理を施した画像を繰り返し同一画面に出力する場合、画像処理のパラメータ数が多くなるほどインデックス表示される画面あるいは紙面が多く必要となる。
【課題を解決するための手段】
【０００６】
本発明はこのような課題を解決するために成されたものである。すなわち、本発明は、ユーザからの指示を受け付ける操作部と、操作部からの指示に基づき所定の画像に対する各々異なる複数の画像処理を行う画像処理部と、画像処理部で処理した複数の画像処理に対応して、一つの画像に対する画像領域を区分けして、その各区分けに複数の画像処理の各々を割り当てて印刷出力するプリンタ部とを備える画像処理装置である。
【０００７】
また、本発明は、ユーザからの指示を受け付ける工程と、この指示に基づき所定の画像に対する各々異なる複数の画像処理を行う工程と、複数の画像処理に対応して、一つの画像に対する画像領域を区分けして、その各区分けに複数の画像処理の各々を割り当てて印刷出力する工程とを備える画像処理方法である。
【０００８】
このような本発明では、一つの画像の印刷において、その一つの画像に対する画像領域を区分けして、その各区分けに複数の画像処理を施したものを割り当てて印刷出力するため、各画像のインデックスプリントを得るとともに画像に施した複数の画像処理の状態を一つの画像領域内で確認できるようになる。
【発明の効果】
【０００９】
したがって、本発明によれば、デジタルカメラ等のインデックスプリントで印刷される各サムネイル画像を、複数の画像処理を施して印刷することにより、同じ画像に対する複数の画像処理の状態を、通常のインデックスプリントで使用する紙の量で行うことが可能となる。さらに、インデックスプリントの各サムネイル画像は同一画像領域内に白黒やカラーといった異なる画像処理の結果が区分けされた状態で出力されるため、サムネイル画像から本番の印刷前に各画像処理の比較を容易かつ的確に行うことができる。これにより、白黒でユーザ所望の印刷結果が得られる場合、高価なカラーではなく白黒を指定して印刷することが可能であり、印刷料金を抑えることが可能となる。
【発明を実施するための最良の形態】
【００１０】
以下、本発明の実施の形態を図に基づき説明する。図１は、本実施形態に係る画像処理装置を説明するブロック図である。すなわち、この画像処理装置１は、各種のメディアを取り扱うことができるメディアドライブＤと、このメディアドライブに対してアクセスを行うファイルシステム１１と、ファイルシステム１１に対して指示を与え、メディアドライブＤに装着されたメディアに記憶されたファイルを処理するアプリケーション２０と、メディアに記憶された画像を処理する画像処理部１２と、アプリケーション２０によって処理されたファイルを印刷出力するプリンタ１４とを備えている。
【００１１】
特に、本実施形態のアプリケーション２０は、メディアドライブＤに装着されたメディアに記憶されているファイルを、ファイルシステム１１を介して読み込み、サムネイル表示するインデックスプリントを行うことができるようになっている。
【００１２】
上記構成のほか、本実施形態の画像処理装置１では、プリンタ１４を制御するプリンタ制御部１３、ユーザとのインタフェースとなる操作パネル１５、各部の制御を統括するシステム制御部１０を備えている。ここで、操作パネル１５は、各種の情報やファイルのサムネイル等を画面表示するディスプレイと、ユーザからの入力操作を受け付けるキーボタンやタッチパネルを有している。
【００１３】
このような本実施形態の画像処理装置１では、メディアから読み出した画像に対し、画像処理部１２で複数の画像処理を施し、画像を印刷出力する際にその画像の領域を区分けして、その区分けに各画像処理の結果を対応させて出力する点に特徴がある。例えば、ある画像に対して白黒処理とカラー処理とを選択した場合、画像の例えば左半分を白黒、右半分をカラーで印刷出力する。これにより、複数の画像処理の結果を一つの画像領域内に収めて表示でき、少ないスペースで複数画像処理の結果を参照できるようになる。
【００１４】
特に、複数の画像のサムネイルを一覧表示するインデックスプリントを行う場合、必要な画像に対して複数画像処理の結果を上記のように一つの画像領域に区分けして表示することで、通常のインデックスプリントと同じ画像数、印刷枚数で異なる画像処理の結果を比較できるようになり、どのような画像処理が適しているのかを効率良く判断できるようになる。
【００１５】
次に、この画像処理装置の内部制御について説明する。操作パネル１５より「インデックスプリント」が選択されると、システム制御部１０はアプリケーション２０を起動する。アプリケーション２０はメディアドライブ選択画面を表示するようシステム制御部１０を介して操作パネル１５に指示する。
【００１６】
次いで、ユーザがメディアをメディアドライブＤに挿入後、挿入したメディアドライブＤを選択する。システム制御部１０はメディアに保存された画像を読み込み、サムネイル一覧を操作パネル１５のディスプレイに表示する。
【００１７】
次に、操作パネル１５の各サムネイルに対応した属性指定(例えば、「白黒・カラー」)ボタンを押下すると、システム制御部１０を介してその指示を受け取ったアプリケーション２０は、「白黒・カラー」選択画面を操作パネル１５に表示する。ユーザは操作パネル１５に表示された「白黒・カラー」選択画面で任意の属性を指示する。各画像について出力したい属性を指定後、操作パネル１５で印刷開始を指示する。指定可能な属性は、輝度、彩度、濃度、背景パターン等であっても良い。
【００１８】
次に、操作パネル１５で印刷開始ボタンが押下されると、アプリケーション２０は画像処理部１２を介して各画像で指定された属性でサムネイル画像を作成する。さらに、インデックスプリント用にレイアウトした印刷データを作成する。プリンタ制御部１３は、作成された印刷データをプリンタ１４に出力することで、複数画像処理に対応したインデックス画像が得られる。
【００１９】
次に、本実施形態に画像処理方法について説明する。図２〜図５は本実施形態の画像処理方法を順に説明する模式図である。なお、以下の説明で指示する図面に示されない符号は図１を参照するものとする。
【００２０】
先ず、操作パネル１５のディスプレイに、メディアに記憶されている画像を通常印刷するか、インデックスプリントを行うかの選択手段（アイコン等）を表示する。ここで、インデックスプリントが指定された場合、メディアから記憶された画像を読み出し、操作パネル１５のディスプレイにサムネイル形式で一覧表示する。各サムネイル画像には、複数の画像処理を施してインデックスプリントするかを選択指定する「属性指定」ボタンＢを設ける（図２参照）。
【００２１】
次に、表示されている画像（図２に示す例では、画像（１）〜（３））に対応した「属性指定」ボタンＢをユーザが押下すると、印刷したい属性指定をするためのポップアップ画面が表示される（図３参照）。このポップアップ画面で例えば「カラーor白黒」属性を指定するためのボタンＢ１を押下すると、図４（ａ）に示すポップアップ画面が表示される。一方、図３に示すポップアップ画面で「輝度」属性を指定するためのボタンＢ２を押下すると、図４（ｂ）に示すポップアップ画面が表示される。
【００２２】
図４（ａ）に示す「カラーor白黒」属性を指定した場合のポップアップ画面では、「カラー」、「白黒」、「白黒・カラー」の選択ボタンＢ１１〜Ｂ１３が表示される。ここで、「白黒・カラー」の選択ボタンＢ１１を押下した場合には、画像処理部１２で白黒およびカラーの画像処理を施し、その画像に対応したサムネイル画像が白黒・カラーで印刷される。つまり、一つの画像領域の半分が白黒、他の半分がカラーで印刷出力される。また、「白黒」の選択ボタンＢ１２を押下した場合にはサムネイル画像が白黒、「カラー」の選択ボタンＢ１３を押下した場合にはサムネイル画像がカラーで印刷される。
【００２３】
また、図４（ｂ）に示す「輝度」属性を指定した場合のポップアップ画面では、一つの画像領域を例えば３分割し（領域＜１＞〜＜３＞）、各領域に対応して輝度を別個に設定できるようになっている。この画面によって各領域の輝度をスライドバーによって設定すると、画像処理部１２で各輝度に対応した画像処理を行い、選択した画像のサムネイル画像として領域＜１＞〜＜３＞に各々設定した輝度で印刷される。
【００２４】
図５は、各画像に対応して属性指定がされた状態で印刷結果を示す模式図である。されたインデックスプリントの例を図５に示す。この例では、画像（１）が通常のカラー画像、画像（２）、画像（４）がカラーor白黒の画像、画像（３）が輝度を変更した画像である。
【００２５】
このように、インデックスプリントにおいて、各画像のサムネイルを印刷するにあたり、属性の指定によって複数の画像処理を指定すれば、一つの画像領域を区分けして各画像処理に対応した処理後の画像を表示できるようになる。
【００２６】
図６は、他のサムネイル画像の例を示す模式図である。すなわち、このサムネイル画像は、図３に示す属性指定画面において、「カラー」、「輝度」、「濃度」等の複数の属性が指定された場合の表示例である。例えば、図６に示す画像（１）では、一つの画像領域を縦横２つの合計４つに区分けし、横に並ぶ２つの区分けに対応して白黒指定およびカラー指定の画像を表示し、縦に並ぶ２つの区分けに対応して輝度指定および濃度指定の画像を表示する。これによって、一つの画像領域で、白黒、カラーの各々の指定に輝度や濃度の指定を加えた各種の画像を一括して表示できるようになる。
【産業上の利用可能性】
【００２７】
本実施形態の画像処理装置および画像処理方法において設定可能な属性としては、上記のような白黒、カラー、輝度、濃度のほかに彩度や背景パターンであっても良い。また、本実施形態の画像処理方法は、パーソナルコンピュータ等で実行されるプログラム処理で実現してもよく、例えばプリンタドライバに組み込んで、プリント指定する際に上記説明した属性指定を行うようにしてもよい。
【図面の簡単な説明】
【００２８】
【図１】本実施形態に係る画像処理装置を説明するブロック図である。
【図２】本実施形態の画像処理方法を順に説明する模式図（その１）である。
【図３】本実施形態の画像処理方法を順に説明する模式図（その２）である。
【図４】本実施形態の画像処理方法を順に説明する模式図（その３）である。
【図５】本実施形態の画像処理方法を順に説明する模式図（その４）である。
【図６】他のサムネイル画像の例を示す模式図である。
【符号の説明】
【００２９】
１…画像処理装置、１０…システム制御部、１１…ファイルシステム、１２…画像処理部、１３…プリンタ制御部、１４…プリンタ、１５…操作パネル、２０…アプリケーション、Ｄ…メディアドライブ
【図１】
2005340889.tif 000003
【図２】
2005340889.tif 000004
【図３】
2005340889.tif 000005
【図４】
2005340889.tif 000006
【図５】
2005340889.tif 000007
【図６】
2005340889.tif 000008